(57)【要約】【課題】視認性を改善した電気光学装置、及び電子機器を提供すること。【解決手段】本発明の薄膜装置は、第１基板に設けられた自発光型表示部１１０と、第２基板に設けられた反射型表示部１２０と、を備え、平面視において、前記自発光型表示部１１０と前記反射型表示部１２０とは重ならないことを特徴とする。【選択図】図１
2010276706.tif 000002
【特許請求の範囲】
【請求項１】
第１基板に設けられた自発光型表示部と、
第２基板に設けられた反射型表示部と、を備え、
平面視において、前記自発光型表示部と前記反射表示部とは重ならないことを特徴とする電気光学装置。
【請求項２】
前記第２基板は、前記第１基板上に設けられていることを特徴とする請求項１に記載の電気光学装置。
【請求項３】
前記自発光型表示部は有機ＥＬ層を有し、
前記反射表示部は電気泳動層を有することを特徴とする請求項１又は２に記載の電気光学装置。
【請求項４】
請求項１乃至３のいずれか１項に記載の電気光学装置を備えた電子機器。
【請求項５】
前記自発光型表示部を覆うように構成された、開閉可能に設けられた第１のカバーを備え、
前記第１のカバーは、閉じた状態で前記自発光型表示部と対向する面が光散乱性又は光反射性を有することを特徴とする請求項４に記載の電子機器。
【請求項６】
前記反射型表示部を覆うように構成され、前記第１のカバーとは独立して開閉可能に設けられた第２のカバーをさらに備えることを特徴とする請求項５に記載の電子機器。
【発明の詳細な説明】
【技術分野】
【０００１】
本発明は、自発光型表示部と反射型表示部とを備えた電気光学装置及び電子機器に関する。
【背景技術】
【０００２】
有機ＥＬ（電界発光：エレクトロルミネッセンス）表示装置に代表される自発光型表示装置は、発色性、暗所での視認性、及びコントラストに優れ、主に携帯電話やテレビなどにおける表示装置に応用されている。しかし、自己発光型表示装置は、消費電力が高い点、表示部のちらつきによる眼精疲労を発生しやすい点、及び明所での視認性が良くない点などが課題として挙げられる。
【０００３】
一方で電気泳動表示装置に代表される反射型表示装置は、消費電力が低い点、表示部のちらつきが少なく眼精疲労が発生しづらい点、及び明所での視認性が良い点などで有機ＥＬ表示装置より優れる。しかし、反射型表示装置は、発色性、暗所での視認性、及びコントラストについては有機ＥＬに及ばない。このような特徴から、反射型表示装置は、電子ブックなどの主に文字情報を表示する薄型表示機器に応用されている。
【０００４】
また、上記のような双方の特徴に鑑み、種類の異なる表示装置を積層して利用する、以下のような技術がある。特許文献１（特開２００４−３０２３２１号公報）には、電気泳動パネルの上に有機ＥＬ表示体を積層させる表示装置が開示されている。特許文献２（国際公開ＷＯ２００５／０３４０６８号パンフレット）には、電気泳動表示体と、その全面に配された液晶表示体とを備える画像表示装置が開示されている。特許文献３（特開２００８−１１７２８３号公報）には、電子ペーパーの上に透明ＥＬシートを配置する手書き入力装置が開示されている。
【先行技術文献】
【特許文献】
【０００５】
【特許文献１】特開２００４−３０２３２１号公報
【特許文献２】国際公開ＷＯ２００５／０３４０６８号パンフレット
【特許文献３】特開２００８−１１７２８３号公報
【発明の概要】
【発明が解決しようとする課題】
【０００６】
しかし、上記従来の技術では、単に複数の表示装置を積層して利用するに過ぎなかったため、表示面から見て奥側に配置された表示装置の画像や文字は、手前側に配置された表示装置に遮られ、視認性が十分であるとは言い難かった。特に、雑誌などのように、写真のように色鮮やかな画像と、細密な文字情報とが混在するようなコンテンツを表示する装置としては、視認性の点において課題があった。
【課題を解決するための手段】
【０００７】
かかる課題を解決するために、本発明の表示装置は、第１基板に設けられた自発光型表示部と、第２基板に設けられた反射型表示部と、を備え、平面視において、前記自発光型表示部と前記反射型表示部とは重ならないことを特徴とする。
【０００８】
かかる構成によれば、平面視において、前記自発光型表示部と前記反射型表示部とは重ならないため、視認性を向上させることができる。
【０００９】
また、本発明の表示装置は、前記第２基板は、前記第１基板上に設けられている。
【００１０】
かかる構成によれば、反射型表示部が設けられている第２の基板が、自己発光型表示部が設けられている第１基板上に設けられていることにより、反射型表示部の視認性を向上させることができる。
【００１１】
また、前記自発光型表示部は有機ＥＬ層を有し、前記反射表示部は電気泳動層を有する。
【００１２】
また、本発明は、上記いずれかの電気光学装置を備えた電子機器を含む。
【００１３】
かかる構成によれば、視認性を向上した電子機器を提供することができる。
【００１４】
また、本発明の電子機器は、前記自発光型表示部を覆うように構成された、開閉可能に設けられた第１のカバーを備え、前記第１のカバーは、閉じた状態で前記自発光型表示部と対向する面が光散乱性又は光反射性を有することが好ましい。
【００１５】
かかる構成によれば、閉じた状態で自発光型表示部と対向する面が光散乱性又は光反射性を有する第１のカバーを用いることで、自発光型表示部から反射型表示部に対して、効果的に導光することが可能となる。
【００１６】
また、前記反射型表示部を覆うように構成され、前記第１のカバーとは独立して開閉可能に設けられた第２のカバーをさらに備えることが好ましい。
【００１７】
かかる構成によれば、自発光型表示部から反射型表示部に対する効果的な導光を可能にしながら、本電子機器を利用しないときに自発光型表示部及び反射型表示部を、当該カバーによって保護することが可能となる。
【００１８】
なお、本明細書において「電子機器」とは、電子ブックや電子ペーパーなどを含むが、これに限定されない。電子ブックや電子ペーパー以外にも、例えば携帯端末などの、画像情報や文字情報が表示可能な機器を含む。
【図面の簡単な説明】
【００１９】
【図１】自発光型表示部及び反射型表示部を備えた電子機器の構成例を示す図。
【図２】素子基板及び透過性基板のそれぞれの構成例を示す図。
【図３】電気光学装置の断面の一例を示す図。
【図４】カバーを備えた電子機器の構成例を示す第１の図。
【図５】カバーを備えた電子機器の構成例を示す第２の図。
【発明を実施するための形態】
【００２０】
本発明に係る実施形態について、以下の構成に従って、図面を参照しながら具体的に説明する。ただし、以下の実施形態はあくまで本発明の一例に過ぎず、本発明の技術的範囲を限定するものではない。なお、各図面において、同一の部品には同一の符号を付している。
１．実施形態１
（１）自発光型表示部及び反射型表示部を備えた電子機器の構成例
（２）電気光学装置における素子基板及び透過性基板のそれぞれの構成例
（３）電気光学装置の断面の一例
２．実施形態２
（１）カバーを備えた電子機器の構成例
３．まとめ
【００２１】
（１．実施形態１）
（１）自発光型表示部及び反射型表示部を備えた電子機器の構成例
図１は、本発明の実施形態１における、自発光型表示部及び反射型表示部を備えた電子機器の構成例を示す図である。本実施形態の電子機器は、例えば写真のような色鮮やかな画像と、細密な文字情報とが混在するようなコンテンツとを同時に表示可能な電子ブックや電子ペーパーなどであるが、これに限られるものではない。
【００２２】
図１に示すように、本実施形態における電子機器１００は、自発光型表示部１１０、反射型表示部１２０、及び表示切り替え入力部１３０を含んで構成される。また、自発光型表示部１１０及び反射型表示部１２０を含む構成を指して、電気光学装置という。
【００２３】
（自発光型表示部１１０）
自発光型表示部１１０は、例えばトップエミッション型の有機ＥＬ表示装置などであって、後述の素子基板上に形成されたスイッチング素子によって駆動されるよう構成される。この自発光型表示部１１０は、所望の色彩光を表示することができるため、主に写真などの色鮮やかな画像などを表示するのに用いられる。また、自発光型表示部１１０は、平面視におけるその外周の二辺が、平面視における素子基板の外周の二辺と接するよう構成されている。
【００２４】
（反射型表示部１２０）
反射型表示部１２０は、例えば電気泳動表示部などであって、後述の基板上に構成されたスイッチング素子によって駆動されるよう構成される。この反射型表示部１２０は、２色表示をすることができるため、主に文字情報を表示するのに用いられる。
【００２５】
ここで、自発光型表示部１１０に用いられるスイッチング素子と、反射型表示部１２０に用いられるスイッチング素子とは、同一の素子基板上に形成される。つまり、自発光型表示部１１０は、素子基板上に構成されたスイッチング素子の一部によって駆動され、反射型表示部１２０は、素子基板上に構成されたスイッチング素子の他の部分によって駆動される。なお、素子基板上には、自発光型表示部１１０及び反射型表示部１２０のいずれかに用いられるスイッチング素子のみならず、例えば駆動回路（図示せず）などの他の回路に用いられる素子をさらに含むこともできる。
【００２６】
（表示切り替え入力部１３０）
表示切り替え入力部１３０は、外部からの入力に基づいて、自発光型表示部１１０の表示及び非表示を切り替え可能に構成されている。自発光型表示部１１０を表示するか否かの切り替えは、反射型表示部１２０の表示状態とは独立に行うことができる。
【００２７】
（２）電気光学装置における素子基板及び透過性基板のそれぞれの構成例
図２は、本実施形態１の電気光学装置における、素子基板２００及び透過性基板２３０のそれぞれの構成例を示す図である。
図２に示すように、本実施形態の電気光学装置は、素子基板２００と、透過性基板２３０との２つの基板を有している。電気光学装置を見る者に近い面を表示面というとき、表示面側に透過性基板２３０が、その奥側に素子基板２００が配置されている。以下、この素子基板２００と透過性基板２３０との配置関係を、素子基板２００の上に透過性基板２３０が配置されている、ともいう。
【００２８】
（素子基板２００）
素子基板２００は、複数のスイッチング素子を形成するよう構成される。また、素子基板２００は、その一部に自己発光層２１０を形成するよう構成される。
【００２９】
（透過性基板２３０）
透過性基板２３０はプラスチックなどの透過性材料により形成されており、その一部に電気泳動層２２０を形成するよう構成される。素子基板２００上の自己発光層２１０と、透過性基板２３０上の電気泳動層２２０とは、平面視において互いに重なり合わないように配置されている。また、透過性基板２３０の一部である、電気泳動層２２０が形成されていない部分は、図２にも示すように、自己発光層２１０の全体を覆うように、自己発光層２１０の上に形成されている。なお、上記透過性基板２３０の一部は、自己発光層２１０の少なくとも一部を覆うように形成されてもよい。
【００３０】
素子基板２００、自己発光層２１０、電気泳動層２２０、及び透過性基板２３０については、以下で断面図を見ながらさらに詳細に説明する。
【００３１】
なお、本実施形態の電気光学装置の製造工程においては、素子基板２００に自己発光層２１０を形成し、透過性基板２３０に電気泳動層２２０を形成した上で、素子基板２００と透過性基板２３０とを貼り合わせて電気光学装置を製造する。したがって、上記説明においては透過性基板２３０の一部に電気泳動層２２０が形成されているとしたが、完成後の電気光学装置においては、素子基板２００の一部に電気泳動層２２０が形成されているということもできる。この場合、素子基板２００上には、一部には自己発光層２１０が形成され、他の部分には電気泳動層２２０が形成されているということができる。
【００３２】
（３）電気光学装置の断面の一例
図３は、電気光学装置の断面の一例を示す図である。
図３に示すように、素子基板２００にはスイッチング素子２４０が複数形成されている。複数のスイッチング素子２４０には、それぞれ対応する画素電極２５０が形成されている。この画素電極２５０の上には、場所に応じて自己発光層２１０又は電気泳動層２２０が選択的に形成されている。当該自己発光層２１０及び電気泳動層２２０の上には共通電極２６０が形成されており、その上には透過性基板２３０が形成されている。
【００３３】
（スイッチング素子２４０）
スイッチング素子２４０は、当該スイッチング素子２４０に与えられる表示信号に応じて導通・非導通（オン・オフ）を切り替えるよう動作可能である。スイッチング素子２４０が導通時には、当該スイッチング素子２４０のそれぞれの上に形成された画素電極２５０が所定の電位になる。逆に、スイッチング素子２４０が非導通時には、対応する画素電極２５０は接地電位になる。なお、スイッチング素子２４０は、例えば半導体素子であるトランジスタがその一例として挙げられる。
【００３４】
（画素電極２５０）
画素電極２５０は、上記のとおり、対応するスイッチング素子２４０によって電位を切り替え可能に構成されている。
【００３５】
（自己発光層２１０）
自己発光層２１０は、複数の自己発光素子によって構成されており、それぞれの自己発光型素子に対応する画素電極２５０と共通電極２６０との電位差によって自己発光する。より具体的には、本実施形態における有機ＥＬ表示装置において、自己発光層２１０は有機ＥＬ層であって、上記のように自己発光素子に電位差を与えることで所望の色彩光を自己発光し、自己発光素子の集合である自己発光層２１０は色彩を有する画像を表示することができる。ここで、共通電極２６０の電位は一定であるため、自己発光層２１０は画素電極２５０の電位の変化に応じて動作している。画素電極２５０の電位は、上記のとおりスイッチング素子２４０によって切り替えられている。すなわち、自己発光層２１０は、対応するスイッチング素子２４０によって駆動される。また、自己発光層２１０は、画素電極２５０を介してスイッチング素子２４０によって印加される電圧に応じて自己発光するということができる。
【００３６】
（電気泳動層２２０）
電気泳動層２２０は、複数の電気泳動素子によって構成されており、対応する画素電極２５０と共通電極２６０との電位差によって、モノクロの文字などを表示することができる。具体的には、電気泳動素子は、黒色の帯電粒子と白色の分散媒とを内包しており、当該電気泳動素子に電位差が生じ、この帯電粒子が画素電極２５０側、又は共通電極２６０側に流動することによって、２色表示を可能とする。この電気泳動層２２０は、上記の自己発光層２１０と同様に、画素電極２５０を介して、対応するスイッチング素子２４０によって印加される電圧に応じて表示が変化するものであり、対応するスイッチング素子２４０によって駆動されるということができる。
【００３７】
なお、電気泳動層２２０が表示する色は一般的には白と黒とのモノクロであるが、これに限られない。すなわち、電気泳動素子に内包される帯電粒子と分散媒との色を変化させることによって、他の２色表示にすることも可能である。
【００３８】
（共通電極２６０）
共通電極２６０は、上記のとおり一定の固定電位を有するよう構成され、透過性材料により形成される。
【００３９】
すなわち、本実施形態の電気光学装置は、素子基板２００に設けられた自発光型表示部１１０と、透過性基板２３０に設けられた反射型表示部１２０と、を備え、平面視において、自発光型表示部１１０と前記反射型表示部１２０とは重ならないことを特徴とする。
【００４０】
かかる構成によれば、平面視において、自発光型表示部１１０と反射型表示部１２０とは重ならないため、視認性を向上させることができる。
【００４１】
また、本実施形態の電気光学装置は、複数のスイッチング素子２４０が形成された素子基板２００を備え、複数のスイッチング素子２４０の一部によって駆動される自発光型表示部１１０と、複数のスイッチング素子２４０の他の部分によって駆動される反射型表示部１２０と、を備えることを特徴とするともいうことができる。
【００４２】
また、本実施形態の表示装置において、透過性基板２３０は、素子基板２００上に設けられている。
【００４３】
かかる構成によれば、反射型表示部１２０が設けられている透過性基板２３０が、自発光型表示部１１０が設けられている素子基板２００上に設けられていることにより、反射型表示部１２０の視認性を向上させることができる。
【００４４】
また、自発光型表示部１１０は自己発光層２１０としての有機ＥＬ層を有し、反射型表示部１２０は電気泳動層２２０を有する。
【００４５】
また、本実施形態で示したように、自発光型表示部１１０は、反射型表示部１２０の表示状態とは独立に、表示及び非表示を切り替え可能に構成されていることが好ましい。
【００４６】
本実施形態のような電子ブックにおいては、画像を表示せずに、文字情報のみを閲覧したい場合がある。そこで、上記の構成にすることで、電気光学装置における文字情報のみを閲覧したいときなどに、自発光型表示部１１０を表示せず、反射型表示部１２０のみを表示させることが可能となり、消費電力を低減することができる。また、通常、反射型表示部１２０は暗所における視認性が悪化してしまうが、その場合に自発光型表示部１１０を表示させることで反射型表示部１２０のための光源として利用でき、暗所における反射型表示部１２０の視認性を向上させることができる。
【００４７】
また、外部からの入力に基づいて自発光型表示部１１０の表示及び非表示を切り替えることができる、表示切り替え入力部１３０を備えることが好ましい。
【００４８】
また、平面視における自発光型表示部１１０の外周の少なくとも一辺が、平面視における素子基板２００の外周の少なくとも一辺と接していることが好ましい。
【００４９】
かかる構成によれば、自発光型表示部１１０が、平面視において素子基板２００の外周に接することなく配置されている場合と比較して、電気光学装置の製造を容易にすることができる。また、自発光型表示部１１０を光源として利用する場合に、自発光型表示部１１０から反射型表示部１２０への導光性を向上させることができる。
【００５０】
また、本実施形態の電気光学装置において、自発光型表示部１１０は、複数のスイッチング素子２４０の一部により印加される電圧に応じて自己発光する自己発光層２１０を含む。さらに、反射型表示部１２０は、複数のスイッチング素子２４０の他の部分により印加される電圧に応じて表示する電気泳動層２２０を含むことが好ましい。
【００５１】
かかる構成によれば、自発光型表示部１１０及び反射型表示部１２０を、共通の素子基板２００上に形成されたスイッチング素子２４０によって印加される電圧によって表示を制御することが可能となる。
【００５２】
また、本実施形態は、上記で具体的に説明したように、いずれかの電気光学装置を備えた電子機器１００を含む。
【００５３】
かかる構成によれば、上記いずれかの電気光学装置の特徴を備える電子機器１００を提供することができる。具体的には、例えば視認性を向上した電子機器を提供することなどが可能となる。
【００５４】
（２．実施形態２）
（１）カバーを備えた電子機器の構成例
次に、これまでに説明した電気光学装置を備える電子機器に、さらにカバーを備えた電子機器の構成例について説明する。
【００５５】
図４は、カバーを備えた電子機器の構成例を示す第１の図である。図５は、カバーを備えた電子機器の構成例を示す第２の図である。本実施形態の電子機器は、自発光型表示部用カバー３００と、反射型表示部用カバー３１０との２通りを備えている。図４は反射型表示部用カバー３１０を全開にし、自発光型表示部用カバー３００を半分開いた状態を示している。図５は自発光型表示部用カバー３００及び反射型表示部用カバー３１０の双方を閉じた状態を示している。
【００５６】
図４及び図５に示すように、電子機器１００は自発光型表示部用カバー３００、及び反射型表示部用カバー３１０をさらに有している。
【００５７】
（自発光型表示部用カバー３００）
自発光型表示部用カバー３００は、自発光型表示部１１０を覆うように構成され、開閉可能に設けられている。また、自発光型表示部用カバー３００は、閉じた状態において自発光型表示部１１０と対面する面に、光散乱性を有する光散乱部３２０を備えている。また、自発光型表示部用カバー３００は、開閉の途中の段階で固定することが可能である。例えば、自発光型表示部用カバー３００は、自発光型表示部１１０と反射型表示部１２０とで構成される電気光学装置と、約４５度未満の所定の角度をなすように固定可能である。
【００５８】
（反射型表示部用カバー３１０）
反射型表示部用カバー３１０は、反射型表示部１２０を覆うように構成され、開閉可能に設けられている。ここで、図４及び図５に示すように、自発光型表示部用カバー３００及び反射型表示部用カバー３１０は、それぞれ独立して開閉可能である。
【００５９】
（光散乱部３２０）
光散乱部３２０は、上記のとおり光散乱性を有しており、自発光型表示部１１０から発せられる光を周囲に散乱させ、周囲を照らすことができるよう構成される。
【００６０】
すなわち、本実施形態の電子機器は、自発光型表示部１１０を覆うように構成された、開閉可能に設けられた自発光型表示部用カバー３００を備え、自発光型表示部用カバー３００は、閉じた状態で自発光型表示部１１０と対向する面が光散乱性を有することが好ましい。
【００６１】
かかる構成によれば、閉じた状態で自発光型表示部と対向する面が光散乱性又は光反射性を有する第１のカバーを用いることで、自発光型表示部から反射型表示部に対して、効果的に導光することが可能となる。
【００６２】
なお、光散乱部３２０に代えて、光反射性を有する光反射部を設けても、類似の特徴を有する電子機器を提供可能である。ただし、光反射部を設けた場合、光は主に所定の方向に反射されてしまうのに対して、光散乱部３２０を設けた場合、散乱された光は周囲を適度に明るくすることができるため、光散乱部３２０を用いることは好ましい。
【００６３】
また、自発光型表示部１１０は、単一色表示状態に保持可能に構成されていることが好ましい。
【００６４】
かかる構成によれば、自発光型表示部１１０の輝度を所望の状態に保持しながら、自発光型表示部１１０から反射型表示部１２０へと導光することができる。また、自発光型表示部１１０の輝度が最大になるような全面白色の表示状態に保持することで、特に暗所での反射型表示部１２０の視認性などを高めることができる。
【００６５】
さらに、自発光型表示部１１０の明るさを調整可能に構成することが好ましい。かかる構成によれば、周囲の環境に応じて反射型表示部１２０の視認性を調整することができる。
【００６６】
なお、自発光型表示部１１０は必ずしも単一色表示状態である必要はなく、一定のパターンの表示状態であってもよい。ただし、単一色表示状態で保持することは、反射型表示部１２０をより見やすい状態にすることが可能であるため、より好ましい。
【００６７】
また、反射型表示部１２０を覆うように構成され、自発光型表示部用カバー３００とは独立して開閉可能に設けられた反射型表示部用カバー３１０をさらに備えることが好ましい。
【００６８】
かかる構成によれば、自発光型表示部１１０から反射型表示部１２０に対する効果的な導光を可能にしながら、本電子機器を利用しないときに自発光型表示部１１０及び反射型表示部１２０を、当該カバーによって保護することが可能となる。
【００６９】
また、自発光型表示部用カバー３００は、電気光学装置との角度が約４５度未満の所定の角度になるところで開閉を固定可能に構成されていることとが好ましい。
かかる構成によれば、自発光型表示部１１０の光を、さらに効果的に反射型表示部１２０に導光することができる。
【００７０】
また、自発光型表示部用カバー３００は、閉じた状態で光を散乱させ、自発光型表示部１１０の光を反射型表示部１２０に導光するように構成することもできる。
【００７１】
また、表示切り替え入力部１３０を押している期間のみ、自発光型表示部１１０が所定の単一色表示状態に保持されるよう構成してもよい。
かかる構成によれば、反射型表示部１２０に表示された文字データを読みたいときにだけ自発光型表示部１１０を導光用照明として利用することが可能となる。
【００７２】
また、表示切り替え入力部１３０を一度押すことで自発光型表示部１１０が所定の単一色表示状態に保持され、もう一度押すことで自発光型表示部１１０が通常の状態に戻るように構成してもよい。通常の状態とは、自発光型表示部１１０が画像を表示している状態、又は何も表示していない状態を指す。
かかる構成によれば、所望の期間だけ自発光型表示部１１０を導光用照明として利用しながら、その期間に表示切り替え入力部１３０を押し続けている必要がなくなり、ユーザーの負担を軽減することができる。
【００７３】
（３．まとめ）
以上、本発明の実施形態について説明したが、それぞれの実施形態はあくまで本発明の一例に過ぎず、これらに限定されるものではない。すなわち、本発明はその要旨を逸脱しない範囲で種々に変更が可能であり、それぞれの実施形態に基づいて適宜変形されたものなどを含む。また、それぞれの実施形態は互いに矛盾を生じない範囲で組み合わせが可能である。
【符号の説明】
【００７４】
１００…電子機器、１１０…自発光型表示部、１２０…反射型表示部、１３０…表示切り替え入力部、２００…素子基板、２１０…自己発光層、２２０…電気泳動層、２３０…透過性基板、２４０…スイッチング素子、２５０…画素電極、２６０…共通電極、３００…自発光型表示部用カバー、３１０…反射型表示部用カバー、３２０…光散乱部
【図１】
2010276706.tif 000003
【図２】
2010276706.tif 000004
【図３】
2010276706.tif 000005
【図４】
2010276706.tif 000006
【図５】
2010276706.tif 000007